(57)【要約】      （修正有）【課題】ボンベ内の残圧や拡散器の抵抗圧力が変化する中においても、必要とされる二酸化炭素の絶対量を変化なく添加することが可能である水草育成用二酸化炭素添加量調整装置を提供する。【解決手段】二酸化炭素格納ボンベから二酸化炭素拡散器へ二酸化炭素を送通させるためのチューブ４の中間部を円状に包納した内部円筒形のハウジング３と、ハウジング３内に配置され回転軸２に偏芯して軸付けされた偏芯ローター１と、回転軸２を回転させるためのモーターとを有し、偏芯ローター１がハウジング３の内周面に着接配置されたチューブ４を圧漬しながら内周面上を摺動することにより、ハウジング３内のチューブ４内に流入する一定量の二酸化炭素を拡散器へ送出する。回転軸２の回転速度は調節が可能であって、回転速度を調節することにより、二酸化炭素の拡散器への送出量を調節することができる。【選択図】図１
0003202022.tif 000002
【実用新案登録請求の範囲】
【請求項１】
水草育成用二酸化炭素の水槽内への添加量を調整する装置であって、
二酸化炭素格納ボンベから二酸化炭素拡散器へ二酸化炭素を送通させるためのチューブの中間部を円状に包納した内部円筒形のハウジングと、
前記ハウジング内に配置され回転軸に偏芯して軸付けされた偏芯ローターと、
前記回転軸を回転させるためのモーターと、
を有し、前記偏芯ローターが前記ハウジングの内周面に着接配置された前記チュ−ブを圧漬しながら前記内周面上を摺動することにより、前記ハウジング内の前記チューブ内に流入する一定量の二酸化炭素を前記拡散器へ送出することを特徴とする二酸化炭素添加量調整装置。
【請求項２】
前記回転軸の回転速度は調節が可能であって、前記回転速度を調節することにより、二酸化炭素の前記拡散器への送出量を調節することが可能であることを特徴とする請求項１に記載の二酸化炭素添加量調整装置。
【考案の詳細な説明】
【技術分野】
【０００１】
本考案は、観賞魚水槽の水草育成に不可欠な二酸化炭素の添加量を調整する装置に関する。
【背景技術】
【０００２】
観賞魚水槽の水草育成には二酸化炭素の添加が欠かせない。二酸化炭素は水槽内で次のような役割を担う。（１）水草の光合成を促進し、成長を促す。（２）水質を弱酸性で維持する。（３）水草に気泡をつけさせる。したがって、二酸化炭素は、適時（光の照射時）に適量を添加する必要がある。現在、主流となっている添加方法は「二酸化炭素強制添加機器」を使用するもので、ボンベに高圧で収められている二酸化炭素をレギュレーターで減圧し、耐圧チューブを通して拡散器（拡散ストーン）で細かい泡として水中に放出する方式が採用されている。  
【０００３】
上記添加機器において、適時調節は自動電源タイマーに制御された電磁弁が担う一方、適量調節は「カウンター」と呼ばれる筒状の容器によって行われる。具体的には、前記筒状の容器に水を張り、筒の底面に穴を設け下側から二酸化炭素の泡を滴下し、その滴数を目視によって計測しながら調整螺子を操作し、ボンベから送出される二酸化炭素の量を調整する。
【先行技術文献】
【特許文献】
【０００４】
【特許文献１】公開実用新案公報平３−３４７６１号
【考案の概要】
【考案が解決しようとする課題】
【０００５】
二酸化炭素強制添加機器による水槽内二酸化炭素の適時適量調節という課題を解決すべく、特許文献１には、開閉弁を電源タイマーによってコントロールする水草育成用二酸化炭素添加装置についての考案が開示されている。該考案の提案は現在具体化され、公知技術として多くの添加機器に採用されているが、この方法では、必要とされる二酸化炭素の絶対量を変化なく確実に添加することはできない。
【０００６】
すなわち、上記の方法は、ボンベ内の残圧と拡散器の抵抗圧力が一定であることを条件に、二酸化炭素の添加量を相対的にコントロールする仕組みであるが、実際のところ、ボンベ内の残圧は使用開始時から交換時までの間に次第にマイナス方向に変化するうえ、拡散器の抵抗圧力は水深・水量や設置場所によって変化する。したがって、この方法では、添加される二酸化炭素の絶対量を確定させることができない。
【０００７】
上述の問題に鑑み、本考案は、ボンベ内の残圧や拡散器の抵抗圧力が変化する中においても、必要とされる二酸化炭素の絶対量を変化なく添加することが可能である水草育成用二酸化炭素添加量調整装置を提供することを課題とする。
【課題を解決するための手段】
【０００８】
上述の課題を解決するために、本考案に係る水草育成用二酸化炭素添加量調整装置は、二酸化炭素格納ボンベから二酸化炭素拡散器へ二酸化炭素を送通させるためのチューブの中間部を円状に包納した内部円筒形のハウジングと、前記ハウジング内に配置され回転軸に偏芯して軸付けされた偏芯ローターと、前記回転軸を回転させるためのモーターとを有し、前記偏芯ローターが前記ハウジングの内周面に着接配置された前記チュ−ブを圧漬しながら前記内周面上を摺動することにより、前記ハウジング内の前記チューブ内に流入する一定量の二酸化炭素を前記拡散器へ送出することを特徴とする。
【０００９】
前記回転軸の回転速度は調節が可能であって、前記回転速度を調節することにより、二酸化炭素の前記拡散器への送出量を調節することができる。
【００１０】
本装置は、水槽内に供給する二酸化炭素の量を一定に保持するための調整装置であるが、同時に、二酸化炭素強制添加機器全体の動作スイッチとしても機能する。すなわち、本装置の電源をOFFにし前記モーターを停止させることにより、前記偏芯ローターが前記チュ−ブを圧漬した状態で停止するため、二酸化炭素の送通が中断される。
【考案の効果】
【００１１】
本装置の使用により、ボンベ内の残圧及び拡散器の抵抗圧力に影響されることなく、水草に必要な二酸化炭素の絶対量を変化なく添加することが可能となる。
【００１２】
本装置の電源の入切により二酸化炭素強制添加機器全体の入切が可能となり、機器本体の調整螺子の回し操作が必要なくなる。  
【図面の簡単な説明】
【００１３】
【図１】本実施例の二酸化炭素添加量調整装置の正面図である。
【図２】本実施例の二酸化炭素添加量調整装置の縦断面図である。
【考案を実施するための形態】
【００１４】
以下、本実施例の二酸化炭素添加量調整装置の実施形態について図を用いて説明する。まず、構成について説明する。
【００１５】
図２に示すように、本実施例の二酸化炭素添加量調整装置は、ハウジング３とモーター５によって構成される。図１及び図２に示すように、ハウジング３の内部は円筒形となっており、ボンベから拡散器へ二酸化炭素を送通させるチューブ４の中間部分を、円筒の内周面に着接させる形で、円状に取り込んでいる。
【００１６】
図２に示すように、隣接するモーター５によって動作する回転軸２がハウジング３の中心を挿通し、ハウジング内においてローター１が回転軸２に偏芯して軸付けされている。図1に示すように、ローター１は、軸から遠い周縁部がハウジング３内の内周面に接し、該接点においてチューブ４を潰す形で回転軸２に固定されている。
【００１７】
次に、機能について説明する。
前述したように、ローター１はチューブ４を潰す形で回転軸２に固定されているため、軸の回転によりローター１がチューブ４を潰しながらハウジング３の内周面上を摺動する。これに伴い、潰し位置６が矢印方向に移動し、チューブ４内の二酸化炭素は順次ハウジング外に押し出される。
【００１８】
潰し位置６がハウジング３内の内周面を1周するごとに押し出される二酸化炭素の量は、ハウジング３内に配置されたチューブ４の内容積に等しいが、本実施例の二酸化炭素添加量調整装置はモーター５の操作により回転軸２の回転速度を調節することができ、これにより二酸化炭素の送出量を調節することが可能となっている。
【００１９】
また、モーター５の電源を切ることにより、ローター１がチューブ４を潰した状態で停止するため、本装置は機器全体のスイッチ機能も兼ねる。さらに、モーター５にタイマーを設置することにより、二酸化炭素の自動的供給停止及び開始が実現する。
【００２０】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することが可能であり、それらについての本実施形態と異なる形態による実施は、本考案の技術的範囲に含まれるものと解する。
【符号の説明】
【００２１】
１      偏芯ローター
２      回転軸
３      ハウジング
４      チューブ
５      モーター
６      潰し位置
【図１】
0003202022.tif 000003
【図２】
0003202022.tif 000004